(57)【特許請求の範囲】
【請求項１】
円状周縁部より内方に向けて突出する、弧状の嵌合凸部を有して検知対象の所定事態の変化を感知する感知器本体と、円状周壁の外面に前記嵌合凸部に対応する弧状の嵌合凹部を有して天井面等へ設置されるベースと、を備え、ベースと感知器本体とを互いに所定方向に相対回転させて着脱自在に嵌合する感知器において、
前記嵌合凸部を、円状周縁部の少なくとも２つの異なる所定位置に、それぞれ形状の異なるように形成するとともに、該嵌合凸部に係合したのち回転させうるように、該嵌合凸部に対応する前記嵌合凹部に連設して嵌合凸部に対応する形状の凹所を形成した感知器であって、前記嵌合凸部を、それぞれ異なる個数の凸部を所定間隔をもって並設し形成するとともに、前記凹所を、それぞれ異なる個数の凹所としたことを特徴とする感知器。
【発明の詳細な説明】
【０００１】
【発明の属する技術分野】
本発明は感知器に関し、特に、天井等への取付用のベースに感知器本体を回転係合して取り付ける構造を備えた感知器に関する。
【０００２】
【従来の技術】
従来、火災感知器として、例えば図５に示す煙感知器のように、所定事態の変化に相当する、所定区域の火災発生により生ずる煙を感知するための感知器本体１と、天井面等に設置されるベース２とを備える構成のものが提案されている。この煙感知器のような火災感知器は、自動火災報知設備である火災受信機等のセンター装置から、信号電線である感知器回線が天井裏等に敷設されて配線され、ベース２に接続される。
【０００３】
感知器本体１のカバー１１には、図６に示すように、ベース２に設けられている電気接続手段である係合片２３と係合する係合ばね１７が設けられている。そして、ベース２と感知器本体１とは、互いに所定方向に相対回転させて着脱自在に嵌合して係合片２３と係合ばね１７とが係合され、電気的に接続されるとともに機械的に結合される。
【０００４】
すなわち、上記の感知器は、感知器本体１とベース２との機械的結合を、電気接続手段にて兼ねたものである。そして、本出願人は、これら感知器本体１とベース２との機械的結合をより確実に行うため、図７に示すような、感知器本体１とベース２とに機械的結合手段と電気的接続手段とをそれぞれ設けた、実開平７−５０８６として開示されたものを出願している。
【０００５】
この感知器は、端子片１４が立設された、検知対象の所定事態の変化を感知する感知器本体１と、天井面等へ設置され、外部電線が接続されて前記端子片１４に係合する係合端子２２が設けられたベース２と、を備え、ベース２と感知器本体１とを互いに所定方向に相対回転させて着脱自在に嵌合し、端子片１４と係合端子２２とを係合して電気的接続を行う。そして、機械的結合手段として、感知器本体１の函体１１の上面に係止爪１１ｄ、１１ｄを一体に設け、ベース２のベースボディ２１の開口縁部にこの係止爪１１ｄ、１１ｄのそれぞれを係止するための係止突起２１ｉ、２１ｉを設けている。また、係合端子２２は、互いに対向する２つの板ばね部２２ａ、２２ａと、該板ばね部２２ａ、２２ａを連結する連結板部（図示せず）と、端子装置３２の設けられた回路基板２４に電気的接続且つ機械的固定する固定片部２２ｇとをひとつの導電板材により折曲形成している。
【０００６】
上記した感知器は、例えば後者のものにおいては、まず、ベース２に信号配線を端子装置３２に配線し、図示していない取付孔によってスイッチボックス等の取付部に固着して天井面等に設置する。次いで、感知器本体１を、ベースボディ２１の係止突起２１ｉ、２１ｉをそれぞれ対応する係止爪１１ｄ、１１ｄに係合させてベース２に取着し、互いに所定方向に相対回転して係止爪１１ｄ、１１ｄを係止突起２１ｉ、２１ｉに係合して結合する。このとき、端子片１４が係合端子２２に嵌合して電気的に接続される。なお、感知器本体１をベース２から取り外す場合には、結合するときとは反対方向に回転させ離脱することができる。
【０００７】
【発明が解決しようとする課題】
ところで、上記した感知器は、係合端子２２への、信号出力を兼ねた直流電源線の接続が極性を意識することなく行えるよう、一般に、図８に示すように、端子片１４、１４と内部回路間にダイオードブリッジＤＢを設けている。従って、感知器本体１とベース２との機械的な結合位置は、１８０度反転していても電気的接続は何ら問題がない。しかし、例えば、電源線以外の接続電線として、感知器動作を外部にて表示するための接点信号出力端子を設けた４線配線を行うものにおいては、例えば後者の感知器においては、４つの係合端子と端子片とがそれぞれ所定の対応位置にて嵌合するように、係止爪と係止突起とを対応させて係合し結合させる必要があった。そのため、感知器本体のベースへの取付が手間のかかるものであった。
【０００８】
本発明は、上記事由に鑑みてなしたもので、その目的とするところは、ベースと感知器本体との機械的結合の位置決めが容易で、以て、取付作業の時間短縮のできる感知器を提供することにある。
【０００９】
【課題を解決するための手段】
上記目的を達成するために、請求項１記載の感知器は、円状周縁部より内方に向けて突出する、弧状の嵌合凸部を有して検知対象の所定事態の変化を感知する感知器本体と、円状周壁の外面に前記嵌合凸部に対応する弧状の嵌合凹部を有して天井面等へ設置されるベースと、を備え、ベースと感知器本体とを互いに所定方向に相対回転させて着脱自在に嵌合する感知器において、前記嵌合凸部を、円状周縁部の少なくとも２つの異なる所定位置に、それぞれ形状の異なるように形成するとともに、該嵌合凸部に係合したのち回転させうるように、該嵌合凸部に対応する前記嵌合凹部に連設して嵌合凸部に対応する形状の凹所を形成している。これにより、感知器本体は、その円状周縁部の少なくとも２つの異なる所定位置に、それぞれ形状の異なるように形成された嵌合凸部が、ベースに形成された嵌合凸部に対応する形状の凹所と係合したのち回転されて嵌合凹部に嵌合し係止されるものとなる。
【００１０】
また、請求項１記載の感知器は、前記嵌合凸部を、それぞれ異なる個数の凸部を所定間隔をもって並設し形成するとともに、前記凹所を、それぞれ異なる個数の凹所としている。これにより、感知器本体に所定間隔をもって形成されたそれぞれ異なる個数の凸部が対応する形状の凹所と係合したのち回転されるものとなる。
【００１１】
【発明の実施の形態】
以下、本発明の感知器の一実施の形態を図１乃至図４に基づいて説明する。
【００１２】
図１は、本発明の感知器の一実施の形態の側面断面図である。図２は、図１に示す感知器の感知器本体の分解斜視図である。図３は、図１に示す感知器の要部であるベースの分解斜視図である。図４は、図１に示す感知器のベースの係合ばねの拡大図で、（ａ）は平面図、（ｂ）はＢ−Ｂ断面矢視図である。
【００１３】
この感知器は、例えば火災感知器としての熱感知器で、所定事態の変化に相当する、所定区域の火災発生により生ずる室内の温度変化を感知するための温度感知手段を有している感知器本体１と、天井面等に設置されるベース２とを備えている。
【００１４】
感知器本体１は、図２に示すように、温度検知手段であるサーミスタ素子１３を一面側にもっている回路基板１２が感知器カバー１１に係止されて構成されている。
【００１５】
感知器カバー１１は、例えばＡＢＳ樹脂材料等の合成樹脂材料により、円状の周縁部より内方に向けて突出する弧状の嵌合凸部１１ａと、中央に後述する回路基板１２を収納する円形凹状である基板収納部１１ｂとを有し、一面開口の円錐台状に形成されている。嵌合凸部１１ａは、後述するベースボディ２１の凹所２１ｆにこの嵌合凸部１１ａを係合したのち回転させうるように、円状周縁部の異なる所定位置に、それぞれ異なる個数の凸部を所定間隔をもって並設し形成されている。このものは、周縁部の円を３等分する略１２０度の間隔のそれぞれの位置に、１乃至３つの凸部が並設されている。
【００１６】
回路基板１２は、一面側に設けられた棒状のサーミスタ素子１３の先端が、基板カバー１５の中心に形成された透孔１５ａに挿通されて露出され、この基板カバー１５の周縁端が、係止爪１６ａ、１６ａを持っている保護カバー１６の周縁にて押圧されるようにして保護カバー１６が感知器カバー１１の基板収納部１１ｂの周縁に形成された係止孔１１ｃ、１１ｃに係止されて設けられている。回路基板１２の他面側には、回路基板１２の回路パターンに電気的に接続される４個の端子片１４が、感知器カバー１１を介して、その突起部１４ａが回路基板１２の所定位置に形成されている端子孔１２ａに挿通された後半田付けされ、立設されている。この４個の端子片１４は、後述するベース２に設けられている係合端子２２の板ばね部２２ａに係合する係合部１４ｂが、感知器カバー１１の中心軸の周囲に所定間隔をもって配設され、感知器本体１とベース２とを電気的に接続する。そして、電源線からの電源供給とともに感知器動作を外部にて表示するための接点信号の出力を行う。なお、係合部１４ｂには、端子片１４がばね性をもって該板ばね部２２ａに係合保持されるように、適宜、透孔を設けても良い。
【００１７】
ベース２は、図３に示すように、一面開口の円筒状のベースボディ２１と、このベースボディの中心軸の周囲に、上記端子片１４と対応するように配設されてその係合部１４ｂに係合する４個の係合端子２２（但し、図中は２個のみ図示している）とを有している。
【００１８】
ベースボディ２１は、例えばＡＢＳ樹脂材料等の合成樹脂材料により、円状のベースボディ２１の外形寸法より僅かに小さい外形寸法をもっている周壁２１ａと、底面中央部分の中心軸位置に形成された信号配線を挿通するための開口２１ｂと、この開口を挟んだ直線上の、ベース２を天井面等に設けられているスイッチボックスの取付部等に固着するための取付孔２１ｃと、開口２１ｂを取り囲むように所定ピッチにて所定間隔をもって並設されているガイドリブ２１ｄと、を有して一面開口の円筒状に形成されている。
【００１９】
周壁２１ａには、上記の感知器カバー１１に形成された嵌合凸部１１ａに対応し、ベース２と感知器本体１とを所定の位置関係にて係合させて取着するための嵌合凹部２１ｅと、この嵌合凹部２１ｅに隣接する凹所２１ｆとが形成されている。すなわち、前記の感知器カバー１１の嵌合凸部１１ａに対応するよう、周壁２１ａを３等分する略１２０度の間隔にて１乃至３つの凹所２１ｆが嵌合凹部２１ｅに連設して設けられている。従って、感知器本体１は、その円状周縁部の少なくとも２つの異なる所定位置に相当する、周壁２１ａを３等分する略１２０度の間隔にて、それぞれ形状の異なるようにするための１乃至３つの嵌合凸部１１ａが、ベースに形成された、嵌合凸部１１ａに対応する凹所２１ｆと係合したのち回転されて嵌合凹部２１ｅに嵌合し係止されるものとなる。
【００２０】
ガイドリブ２１ｄは、図４（ａ）に示すように、後述する係合端子２２を係止するための、このガイドリブ２１ｄの対向面の所定位置の中間高さ位置に形成された所定段差の角状の凸部２１ｇをもって、該係合端子２２を電気的及び機械的に保護するように４個が並設されて形成されている。また、ガイドリブ２１ｄの対向面の中間には係合端子２２を位置決めするための位置決め突起２１ｈが設けられている。
【００２１】
係合端子２２は、図４（ａ）に示すように、互いに対向する２つの板ばね部２２ａ、２２ａと板ばね部２２ａ、２２ａの基端部２２ｂ、２２ｂが延設折曲して形成される連結板部２２ｃとを有し、黄銅板材料等のばね性を有する導電性金属材料にて形成されている。板ばね部２２ａ、２２ａは、いずれか一方の板ばね部の対向面の中間に、前記の透孔と係合する所定高さの球面状の突起が適宜設けられ、それぞれの基端部２２ｂ、２２ｂの所定位置に、ベースボディ２１に形成されたガイドリブ２２ｄに設けられている角状の凸部２１ｇと係合する、凸部２１ｇの角状より僅かに大きい角穴２２ｄ、２２ｄが設けられている。連結部２２ｃは、基端部２２ｂ、２２ｂが対向し形成される中間部分で、係合端子２２を１枚の導電板材にて形成するための部分である。そして、このものにおいては、前記位置決め突起２１ｈが挿通されて係合端子２２を位置決めするための透孔２２ｅが形成されるとともに、外部電線が接続される速結端子部３の端子金具３２と一端が半田付け接続される接続片２２ｆが延設されている。この係合端子２２は、２つの板ばね部２２ａ、２２ａの折曲形成される基端部２２ｂ、２２ｂに形成された角穴２２ｄ、２２ｄが、上記ベースボディ２１の４個のガイドリブ２１ｄに形成された角状の凸部２１ｇ、２１ｇと係合して係止されている。
【００２２】
なお、上記の速結端子部３は、ベースボディ２１とベースボディ２１に嵌合係止される端子カバー３１と間に、そのコ字状の対向片の一端が上記接続片２２ｆの一端と半田付けされる端子金具３２、３２の対向片間に、所定形状に湾曲し折曲形成された押圧ばね３３が所定個数配設されて形成され、所定の線径をもっている単線の信号配線を押圧し係止する、周知の速結端子構造をもって構成されている。
【００２３】
以上説明した熱感知器の組立は、感知器本体１は、まず、回路基板１２を感知器カバー１１の所定位置に配設して、４個の端子片１４を回路基板１２の他面側に立設されるようにして感知器カバー１１を介して半田付けする。次いで、基板カバー１５を、回路基板１２に実装されたサーミスタ素子１３を基板カバー１５の透孔１５ａに挿通した後、回路基板１２の周縁を基板カバー１５の周縁端にて押圧するように配置する。そして、さらに基板カバー１５を、保護カバー１６の周縁にて押圧するように、保護カバー１６の係止爪１６ａを感知器カバー１１の係止孔１１ａに挿入して組立を完了する。
【００２４】
また、ベース２は、まず、４個の係合端子２２を、ベースボディ２１の底面に並設されているガイドリブ２１ｄの間に、位置決めのための透孔２２ｅに位置決め突起２１ｈを挿通させるとともに角穴２２ｄ、２２ｄに角状の凸部２１ｇ、２１ｇを係合させて係止する。次いで、接続片２２ｆの一端を速結端子部３の端子金具３２、３２に半田付けした後、端子金具３２、３２の対向片間に押圧ばね３３を配設して端子カバー３１をベースボディ２１に凹凸結合等にて結合固着し組立を完了する。
【００２５】
上記した熱感知器は、まず、ベース２に、電源線と接点信号配線とを速結端子部３によって接続し、取付孔２１ｃによってスイッチボックス等の取付部に固着して天井等に設置する。次いで、感知器本体１を、感知器カバー１１の嵌合凸部１１ａをベース２のそれぞれ対応する凹所２１ｆに係合させてベース２に取着し、互いに所定方向に相対回転して各嵌合凸部１１ａを嵌合凹部２１ｅに係合して結合するとともに、端子片１４が係合端子２２に嵌合して電気的に接続される。そして、直流電源が２個の係合端子２２から供給されて火災感知信号が出力されるとともに、他の２個の係合端子２２から感知器動作を外部にて表示するための接点信号が出力される。なお、感知器本体１をベース２から取り外す場合には、係合するときとは反対方向に回転させ離脱することができる。
【００２６】
以上説明した熱感知器によると、感知器本体１は、その円状周縁部の少なくとも２つの異なる所定位置に、それぞれ形状の異なるように形成された嵌合凸部１１ａが、ベース２に形成された嵌合凸部１１ａに対応する形状の凹所２１ｆと係合したのち回転されて嵌合凹部２１ｅに嵌合し係止されるものとなるので、ベース２と感知器本体１との機械的結合の位置決めが容易で、以て、取付作業の時間短縮ができる。また、感知器本体１に所定間隔をもって形成されたそれぞれ異なる個数の凸部が、対応する形状の凹所と係合したのち回転されるものとなるので、目視確認にて直ちに感知器本体１とベース２との対応を把握できるので、嵌合凸部１１ａに対応する形状の凹所２１ｆと係合をより早く行え、より取付作業の時間短縮ができるものとなる。
【００２７】
なお、上記の実施の形態の説明において、熱感知器を例示して説明したが本発明はそのもののみに限定するものでなく、例えば火災感知用の煙感知器、防犯用の人体検知器等であっても良い。
【００２８】
【発明の効果】
請求項１記載の感知器は、感知器本体は、その円状周縁部の少なくとも２つの異なる所定位置に、それぞれ形状の異なるように形成された嵌合凸部が、ベースに形成された嵌合凸部に対応する形状の凹所と係合したのち回転されて嵌合凹部に嵌合し係止されるものとなるので、ベースと感知器本体との機械的結合の位置決めが容易で、以て、取付作業の時間短縮ができる。
【００２９】
また、請求項１記載の感知器は、上記の効果に加え、感知器本体に所定間隔をもって形成されたそれぞれ異なる個数の凸部が対応する形状の凹所と係合したのち回転されるものとなるので、目視確認にて直ちに感知器本体とベースとの対応を把握できて、嵌合凸部に対応する形状の凹所と係合をより早く行え、より取付作業の時間短縮ができるものとなる。
【図面の簡単な説明】
【図１】本発明の感知器の一実施の形態の側面断面図である。
【図２】図１に示す感知器の感知器本体の分解斜視図である。
【図３】図１に示す感知器の要部であるベースの分解斜視図である。
【図４】図１に示す感知器のベースの係合ばねの拡大図で、（ａ）は平面図、（ｂ）はＢ−Ｂ断面矢視図である。
【図５】従来例の感知器の斜視図である。
【図６】図５に示す感知器の側面断面図である。
【図７】他の従来例の感知器の側面断面図である。
【図８】感知器の電源入力の説明図である。
【符号の説明】
１    感知器本体
１１ａ  嵌合凸部
２    ベース
２１ａ  周壁
２１ｅ  嵌合凹部
２１ｆ  凹所
【図１】
0003680475.tif 000002
【図２】
0003680475.tif 000003
【図３】
0003680475.tif 000004
【図４】
0003680475.tif 000005
【図５】
0003680475.tif 000006
【図６】
0003680475.tif 000007
【図７】
0003680475.tif 000008
【図８】
0003680475.tif 000009